(57)【要約】【課題】組立および保守時の作業性が優れたケーブルクランプおよびそれを使用するケーブル余長処理装置を提供する。【解決手段】光実装基板４０の所定位置に対向して配置される１対のケーブルクランプ２０Ａ−２０Ｂは、その頂部２３に回転軸受２７が形成されている。この回転軸受２７に回転可能且つ着脱自在に光ファイバケーブル４５の保護カバー３０の端部３１に形成された円柱状部３２を保持する。これにより、保護カバー３０は、一方のケーブルクランプ２０Ａ（又は２０Ｂ）との係合を解放し、他方のケーブルクランプ２０Ｂ（又は２０Ａ）と回転可能にする。【選択図】　　　　　図４
2004055877.tif 000002
【特許請求の範囲】
【請求項１】
光実装基板に固定される固定部が形成された底部、該底部の一端から起立する起立部、該起立部から前記底部と略平行に延びる頂部、および前記底部および前記頂部の自由端から相互に相手側へ延びるケーブル挿入部を有し、光ファイバケーブルの余長部を巻回して内部に保持するケーブルクランプにおいて、
前記頂部の前記起立部の近傍に形成された略Ｕ字状溝の回転軸受を有し、該回転軸受に前記巻回保持された光ファイバケーブルを保護する保護カバーを固定することを特徴とするケーブルクランプ。
【請求項２】
前記頂部は、前記起立部から前記頂部の前記ケーブル挿入部と反対側に延出した延出部を有し、該延出部に前記回転軸受を形成することを特徴とする請求項１に記載のケーブルクランプ。
【請求項３】
前記回転軸受は、前記保護カバーの端部に形成された略円柱状部を回転可能且つ着脱自在に保持することを特徴とする請求項１又は２記載のケーブルクランプ。
【請求項４】
光実装基板に取り付けられた複数のケーブルクランプに光ファイバケーブルの余長部を巻回して保持すると共に、保持された光ファイバケーブルを保護カバーにより保護するケーブル余長処理装置において、
前記ケーブルクランプは、上面に略Ｕ字状溝の回転軸受を備え、前記保護カバーは、端部に前記回転軸受に回転且つ着脱可能に保持される略円柱状部を備えることを特徴とするケーブル余長処理装置。
【請求項５】
前記ケーブルクランプは、実質的に同様構成の１対を対向して前記光実装基板に配置することを特徴とする請求項４に記載のケーブル余長処理装置。
【請求項６】
前記保護カバーは、前記１対のケーブルクランプの一方との係合を解除して他方のケーブルクランプの前記回転軸受を中心に回転可能であることを特徴とする請求項５に記載のケーブル余長処理装置。
【発明の詳細な説明】
【０００１】
【発明の属する技術分野】
本発明はケーブルクランプに関し、特に光ファイバケーブルの余長部を電子機器内部の回路基板に安定的にクランプして保護カバーにより保護可能にするケーブルクランプおよびそれを使用するケーブル余長処理装置に関する。
【０００２】
【従来の技術】
光ファイバケーブルを使用する電子機器、例えば光通信装置等においては、光ファイバケーブルの余長部を電子機器内にクランプするケーブル余長処理装置を備えるのが一般的である。光信号は、光ファイバケーブル内を最小減衰で伝送可能であるが、光ファイバケーブルを曲げると、光の伝送特性が変化する。また、光ファイバケーブルに傷損を生じると、光伝送特性に致命的な影響を及ぼすこととなる。そこで、ケーブルクランプは、光ファイバケーブルが予め決められた曲率半径以下に曲げられないように、また光ファイバケーブルに外傷が加えられることがないように安定的に保持し且つ保護する必要がある。
【０００３】
斯かるケーブルクランプ装置に関する又は関連する従来技術は、例えば特開平４−３１６００３号公報の「ケーブルクランプ及びケーブル保護カバーの取付構造」（以下、第１従来技術という）および特開平１０−９０５２６号公報の「光ファイバ・ケーブルの保護構造」（以下、第２従来技術という）等に開示されている。
【０００４】
上述した第１従来技術は、断面が横転した「Ｕ」又は「ひ」字状のバンド体の上下に係合突起状の取着手段を有し、一方の取着手段を回路基板の取り付け孔に挿入して固定する。そして、光ファイバケーブルをバンド体に巻回した後に他方の取着手段にケーブル保護カバーを固定することにより、巻回された光ファイバケーブルの傷損をケーブルカバーにより保護するケーブルクランプ装置を開示している。他方、上述した第２従来技術は、底面、両側面および開口を有する略筒状のホルダの底面および一方の外側面に突起物が形成されている。底面の突起物を回路基板に挿入固定し、ホルダに光ファイバケーブルを巻回保持した後に、外側面の突起物に保護カバーを取り付け、光ファイバケーブルの脱落を防止する光ファイバケーブルの保護構造を開示している。
【０００５】
【発明が解決しようとする課題】
従来技術には、次の如き幾つかの課題を有する。第１に、電子機器内部の光実装基板（回路基板）では、光ファイバケーブル収容部に、ケーブルクランプを複数個、収容すべき光ファイバケーブル長を考慮した直径の同一円周上に配置し、これらケーブルクランプとは別のクランプを用いて保護カバーを取り付けるのが一般的である。そのため、光実装用基板上に保護カバーを設けるためのスペースを確保するため、基板上に電気部品の実装スペースに制約ができ、回路パターンも逃げる必要がある。その理由は、保護カバーは光実装用基板上を静電袋より取り出す際や修理中に誤って余長部分に予期せぬ外力が働いて損傷を生じる恐れを防ぐため、別のクランプを設けて保護カバーを取り付ける必要があり、光実装用基板上に保護カバーを設けるためのスペースを確保する必要があるからである。
【０００６】
第２に、ケーブルクランプと保護カバーが一体に構成できないため、保護カバーを外した際に、紛失やキズを付けやすい。その理由は、ケーブルクランプと保護カバーが一体に構成されていないと、電気的に調整の必要な部品がある場合や修理および評価中に保護カバーを外し、保管しておく必要がある。
【０００７】
【発明の目的】
本発明は、従来技術の上述した課題に鑑みなされたものであり、ケーブルクランプと保護カバーを着脱自在にワンタッチで取り付け、取り付けの方向性にとらわれず一方を固定し、もう片方のみ保護カバーの回転機構部をケーブルクランプの回転受け機構部より着脱出来ることが、保護カバー自体の紛失やキズの防止に繋がる。また、前記した作業を行う場合、両方のケーブルクランプより保護カバーを着脱し、作業をすることも可能である。
【０００８】
【課題を解決するための手段】
前述の課題を解決するため、本発明によるケーブルクランプおよびそれを使用するケーブル余長処理装置は次のような特徴的な構成を採用している。
【０００９】
（１）光実装基板に固定される固定部が形成された底部、該底部の一端から起立する起立部、該起立部から前記底部と略平行に延びる頂部、および前記底部および前記頂部の自由端から相互に相手側へ延びるケーブル挿入部を有し、光ファイバケーブルの余長部を巻回して内部に保持するケーブルクランプにおいて、
前記頂部の前記起立部の近傍に形成された略Ｕ字状溝の回転軸受を有し、該回転軸受に前記巻回保持された光ファイバケーブルを保護する保護カバーを固定するケーブルクランプ。
【００１０】
（２）前記頂部は、前記起立部から前記頂部の前記ケーブル挿入部と反対側に延出した延出部を有し、該延出部に前記回転軸受を形成する上記（１）のケーブルクランプ。
【００１１】
（３）前記回転軸受は、前記保護カバーの端部に形成された略円柱状部を回転可能且つ着脱自在に保持する上記（１）又は（２）のケーブルクランプ。
【００１２】
（４）光実装基板に取り付けられた複数のケーブルクランプに光ファイバケーブルの余長部を巻回して保持すると共に、保持された光ファイバケーブルを保護カバーにより保護するケーブル余長処理装置において、
前記ケーブルクランプは、上面に略Ｕ字状溝の回転軸受を備え、前記保護カバーは、端部に前記回転軸受に回転且つ着脱可能に保持される略円柱状部を備えるケーブル余長処理装置。
【００１３】
（５）前記ケーブルクランプは、実質的に同様構成の１対を対向して前記光実装基板に配置する上記（４）のケーブル余長処理装置。
【００１４】
（６）前記保護カバーは、前記１対のケーブルクランプの一方との係合を解除して他方のケーブルクランプの前記回転軸受を中心に回転可能である上記（５）のケーブル余長処理装置。
【００１５】
【発明の実施の形態】
以下、本発明によるケーブルクランプおよびそれを使用するケーブル余長処理装置の好適実施形態の構成および動作を、添付図面を参照して詳細に説明する。
【００１６】
先ず、図１は、本発明によるケーブルクランプの好適実施形態の斜視図である。このケーブルクランプ２０は、全体が略長方形の枠状に構成され、底部２１、その一端形起立する起立部２２、この起立部２２から底部２１と略平行に延びる頂部２３、およびこれら頂部２３および底部２１の自由端から相互に相手側へ延び、ケーブル挿入口２５を有するケーブル挿入部２４により構成される。
【００１７】
また、底部２１の底面、特に起立部２２の近傍には基板取付用突起２６が形成される。更に、頂部２３の上面の起立部２２の近傍には、略Ｕ字状溝の回転軸受２７が形成されている。好ましくは、この回転軸受２７は、頂部２３が起立部２２からケーブル挿入部２４と反対側へ少し延出した延出部２８の上面に、起立部２２の幅方向に沿って形成される。ケーブルクランプ２０は、例えば適当な弾性を有するエンジニアリング用プラスチック材料で一体成型により形成される。
【００１８】
次に、図２は、図１に示すスケーブルクランプ２０に回転可能且つ着脱自在に取り付けられ、光ファイバケーブルの余長部を保護する保護カバー３０の斜視図である。この保護カバー３０は、略正方形の板状であり、その対向する端部３１、３１に略円柱状部（又は軸）３２が突出して形成されている。この保護カバー３０も、好ましくは適当なエンジニアリング用プラスチック材料により一体成型して形成される。
【００１９】
図３は、図１に示すケーブルクランプ２０と図２に示す保護カバー３０の係合部分の拡大斜視図である。図３から明らかな如く、保護カバー３０の端部３１に突出形成された円柱状部３２をケーブルクランプ２０の延出部２８に形成された回転軸受２７内に回転可能に保持される。この構成により、保護カバー３０は、円柱状部３２を回転軸として回転可能である。また、保護カバー３０に所定の張力を加えることにより、円柱状部３２は、Ｕ字状溝の回転軸受２７から離脱させることが可能であるので、保護カバー３０はケーブルクランプ２０に対して着脱自在である。
【００２０】
次に、図４および図５は、本発明によるケーブル余長処理装置の好適実施形態の構成を示す斜視図である。図４および図５は、それぞれケーブル余長処理装置１０の保護カバー３０を開いた状態および閉じた状態を示す。
【００２１】
このケーブル余長処理装置１０は、光実装基板（回路基板）４０に対向して配置（又は取付）された１対のケーブルクランプ２０Ａ−２０Ｂおよびこれらケーブルクランプ２０Ａ−２０Ｂに着脱自在に取り付けられる保護カバー３０により構成される。ケーブルクランプ２０Ａ−２０Ｂは、光実装基板４０の所定位置に形成された取付開口（図示せず）に、図１に示す基板取付用突起部２６を圧入して固定される。また、光実装基板４０上には、光−電変換器等の複数の電気部品４１、４２が配置される。
【００２２】
各ケーブルクランプ２０Ａ−２０Ｂは、光ファイバケーブルの余長部である巻回された光ファイバケーブル４５を保持するよう構成されている。このようにケーブルクランプ２０Ａ−２０Ｂに巻回保持された光ファイバケーブル４５を保持させた後に、巻回された光ファイバケーブル４５の上面を、ケーブルクランプ２０Ａ−２０Ｂに回転可能且つ着脱自在に固定される保護カバー３０により保護される。この保護カバー３０は、図４に示す如く、その対向する端部３１、３１に形成された円柱状部３２、３２の他方をケーブルクランプ２０Ｂ（又は２０Ａ）の回転軸受２７から離脱させ、一方のケーブルクランプ２０Ａ（又は２０Ｂ）を中心に矢印Ａで示すように、ヒンジ状に回転することが可能である。これにより、例えば修理、保守その他の理由で必要時に電子部品４１又は光ファイバケーブル４５にアクセスして調整、修理又は交換等が可能である。
【００２３】
また、通常状態では、図５に示す如く、ケーブルクランプ２０Ａ−２０Ｂに保持された光ファイバケーブル４５の上面全体を保護カバー３０で覆い、この保護カバー３０を１対のケーブルクランプ２０Ａ−２０Ｂにより固定して光ファイバケーブル４５を保護している。これにより、敏感な光ファイバケーブル４５に外傷等により特性を変化（劣化）するのを確実に防止する。尚、ケーブルクランプ２０に形成された回転軸受２７と保護カバー３０の円柱状部（回転軸）の寸法および材料を選定することにより、両者間の保持力を適正値に設定可能である。
【００２４】
以上、本発明によるケーブルクランプおよびそれを使用するケーブル余長処理装置の好適実施形態の構成および動作を詳述した。しかし、斯かる実施形態は、本発明の単なる例示に過ぎず、何ら本発明を限定するものではない。本発明の要旨を逸脱することなく、特定用途に応じて、種々の変形変更が可能であること、当業者には容易に理解できよう。例えば、一層安定的に光ファイバケーブルを保持するために、巻回された光ファイバケーブル４５の円周に沿ってケーブルクランプ２０と同様のケーブルクランプを更に１個以上配置してもよい。例えば、保護カバー３０の端部３１−３１と隣接する他の端部３３−３３に対応する位置に２個のケーブルクランプを追加配置する。尚、保護カバー３０のこれらの端部３３−３３には円柱状部を形成しなくてもよい。
【００２５】
【発明の効果】
以上の説明から理解される如く、本発明によるケーブルクランプおよびそれを使用するケーブル余長処理装置は、次の如き実用上の顕著な効果を有する。第１に、光実装用基板上で電気的に調整の必要な部品がある場合、修理および評価中に光ファイバケーブル余長の見直し等で保護カバーを外す際に、保護カバーの紛失やキズの防止が可能である。その理由は、保護カバーがケーブルクランプと一体に構成可能であるからである。
【００２６】
第２に、電子機器等の組立又は保守の作業性が良好である。その理由は、保護カバーを、１対のケーブルクランプの何れの側へも自由に開くことが可能であるためである。
【００２７】
第３に、光実装用基板に保護カバーを取り付けるための別のサポートを設ける必要がなく、部品実装スペースが拡大する。その理由は、保護カバーとケーブルクランプを一体に構成し、保護カバーを固定するための別なクランプを光実装用基板上に設ける必要がないからである。
【００２８】
第４に、クランプの実装数が最小限ですみ、方向を気にせず取付可能なため、生産性が向上し組立に要する時間が短縮される。その理由は、基本的に、同一形状の１対のケーブルクランプを対向配置するのみであるからである。
【図面の簡単な説明】
【図１】本発明によるケーブルクランプの好適実施形態の斜視図である。
【図２】図１に示すケーブルクランプにより回転可能且つ着脱自在に保持可能な保護カバーの斜視図である。
【図３】図２に示す保護カバーと図１に示すケーブルクランプの係合状態を示す斜視図である。
【図４】本発明によるケーブル余長処理装置の好適実施形態の保護カバーを開いた状態を示す斜視図である。
【図５】図４に示す本発明のケーブル余長処理装置の組立状態（保護カバーを閉じた状態）を示す斜視図である。
【符号の説明】
１０　ケーブル余長処理装置
２０Ａ−２０Ｂ　ケーブルクランプ
２１　底部
２２　起立部
２３　頂部
２４　ケーブル挿入部
２５　ケーブル挿入口
２６　基板取付用突起
２７　回転軸受
２８　延出部
３０　保護カバー
３１、３３　端部
３２　円柱状部
４０　光実装基板
４１、４２　電気部品
４５　光ファイバケーブル
【図１】
2004055877.tif 000003
【図２】
2004055877.tif 000004
【図３】
2004055877.tif 000005
【図４】
2004055877.tif 000006
【図５】
2004055877.tif 000007